(57)【特許請求の範囲】
【請求項１】
新聞の各紙面に掲載すべき記事や画像からなる複数の要素を管理するとともに、前記管理されている各要素をそれぞれ読出して各紙面上に配置し、配置された各要素に見出しを付す新聞紙面制作システムにおいて、
予め定めた見出しパターンを格納している見出しパターン格納手段と、
前記見出しパターン格納手段に格納されている複数の見出しパターンを前記要素の内容に基づいてこの要素に関連付けて記憶する関連要素見出しパターン記憶手段と、
前記要素の内容に基づいて、前記関連要素見出しパターン記憶手段によって記憶された複数の見出しパターンを表示する見出しパターン表示手段と、
前記見出しパターン表示手段により表示された複数の見出しパターンの中から、この要素に付す見出しパターンのオペレータによる選択の入力を受け付ける見出しパターン選択入力手段と、
前記見出しパターン選択入力手段により受け付けられたオペレータによる選択入力によって選択された見出しパターンを前記紙面に配置する見出しパターン配置手段と、
前記見出しパターンが配置された紙面のイメージを表示する紙面イメージ表示手段と、
前記見出しパターン配置手段によって配置された見出しパターンを変更する場合には、この見出しパターンが付された前記要素について、前記関連要素見出しパターン記憶手段によって記憶された複数の見出しパターンの中から検索される次の見出しパターンを、前記要素に付す見出しパターンの次候補とする見出しパターン次候補検索手段と、
前記見出しパターン次候補検索手段によって検索された見出しパターンを、前記見出しパターン配置手段によって前記紙面に配置されている見出しパターンと差し替えてこの紙面に配置する第１の見出しパターン差替配置手段と、
前記見出しパターン配置手段または前記第１の見出しパターン差替配置手段によって
前記紙面に配置された複数の見出しパターンを、相互に関連付けて見出しグループ番号により見出しグループとして記憶し、さらに複数の見出しグループ番号を一の見出しパターンに付与できる見出しグループ記憶手段と、
前記見出しグループ記憶手段に記憶された一の見出しグループ番号にかかる見出しグループに関し、紙面上に配置されている一の要素に関連付けて記憶された見出しパターンが、前記見出しグループに含まれる場合には、当該要素に当該見出しパターンを次候補として付すことを、紙面上に配置されている全ての要素に対して行うことにより、複数の見出しパターンを新たな見出しパターンに見出しグループ単位で一括して差し替えてこの紙面に配置する第２の見出しパターン差替配置手段とを備えたことを特徴とする新聞紙面制作システム。
【発明の詳細な説明】
【０００１】
【発明の属する技術分野】
本発明は、例えば新聞社や印刷会社において新聞紙面を制作する新聞紙面制作システムに係り、更に詳しくは、新聞紙面の制作段階において、見出しパターンを変更するのに適した新聞紙面制作システムに関するものである。
【０００２】
【従来の技術】
一般に、図３３（ａ）に示すように、新聞３１は複数の紙面３２で構成されている。各紙面３２は、第１面、政治面、経済面、スポーツ面、社会面等に分類される。各紙面３２内には、図３３（ｂ）に示すように、レイアウトに特徴があり、まとまった組物である小組（箱組）３４を複数含んでいる。そして、大組３３及び小組３４内には、複数の画像（写真、イラスト）３５や複数の記事３６が掲載される。さらに、紙面３２の下方に、広告３７が掲載される。
【０００３】
各記事３６や各画像３５は多数の新聞記者やカメラマンによって収集されて新聞社に送られる。新聞社においては、新聞記者やカメラマンから送られた膨大な量の記事や画像のうち、どの記事や画像をどの紙面３２で採用するかを決定し、採用が決まった記事３６や画像３５を編集する。そして、組版端末上から、編集された記事３６や画像３５を、記事内容や画像内容を考慮して、各紙面３２上に配置（割付け）し、それら記事３６が画像３５に見出しを付して印刷用の版下データを作成する必要がある。
【０００４】
特に、新聞３１の紙面３２で果たす見出しの役割は重要であり、同一の紙面３２であっても、時問的に後に作成される版では見出しが変更されることが多い。また、見出しの文字列、文字の大きさ、地紋などのパターンはその記事３６の内容だけで決められるものではなく、紙面３２上にレイアウトされた他の記事３６の見出しとのバランスで決められることが多い。
【０００５】
【発明が解決しようとする課題】
しかしながら、このような従来の新聞紙面制作システムでは、以下のような問題がある。
【０００６】
すなわち、現行の新聞システムでは、１つの記事３６に対して複数の見出しパターンを用意して、適宜入れ替えることは可能であるが、この場合、まず、配置済みの見出しパターンの配置の取り消し操作を行った後に、別の見出しパターンを配置するための配置操作をすることが必要となる。したがって、紙面３２の全体のバランスを見ながら見出しパターンを決める場合には操作が煩雑になるという問題がある。
【０００７】
また、紙面３２の全体の感じを派手にしたり、逆に地味にしたり、或いは特定の記事の見出しだけを派手にするなど、複数の記事３６の見出しの相互関連を持たせたパターンを複数種類考えて見比べたい場合には、見出しパターンの入替えは相当面倒な作業となる。
【０００８】
そこで、見出しパターンの入れ替えを行う場合には、オペレータは自分の頭の中でまず一種のシミュレーションをしてパターンの候補を絞り込んだ上で、組版端末上で見出しパターンの入替作業を行っているために、経験の浅いオペレータが見出しパターンの入替作業を行う場合には、作業効率が落ちるという問題がある。
【０００９】
本発明はこのような事情に鑑みてなされたものであり、その第１の目的は、組版端末上で、ある記事に対して予め用意した複数の見出しパターンの中から見出しパターンを選択し、更に、選択された見出しパターンが配置された紙面イメージを表示することによって、見出しの配置作業を効率的に行うことが可能な新聞紙面制作システムを提供することにある。
【００１０】
また、その第２の目的は、同一紙面内に配置された見出しパターンについて関連情報を付与することにより、同一紙面内に配置される見出しについて、統一性の取れた見出しとすることが可能な新聞紙面制作システムを提供することにある。
【００１１】
更に、その第３の目的は、一旦配置した見出しパターンの他の見出しパターンへの差し替えを自在とし、特に、互いに関連性のある複数の見出しについては、そのパターンを一括して差し替えることを自在とし、見出しパターンの差し替え作業を効率的に行うことが可能な新聞紙面制作システムを提供することにある。
【００１２】
【課題を解決するための手段】
上記の目的を達成するために、本発明では、以下のような手段を講じる。
【００１３】
すなわち、請求項１の発明では、新聞の各紙面に掲載すべき記事や画像からなる複数の要素を管理するとともに、管理されている各要素をそれぞれ読出して各紙面上に配置し、配置された各要素に見出しを付す新聞紙面制作システムにおいて、予め定めた見出しパターンを格納している見出しパターン格納手段と、見出しパターン格納手段に格納されている複数の見出しパターンを要素の内容に基づいてこの要素に関連付けて記憶する関連要素見出しパターン記憶手段とを備えている。
更に、要素の内容に基づいて、関連要素見出しパターン記憶手段によって記憶された複数の見出しパターンを表示する見出しパターン表示手段と、見出しパターン表示手段により表示された複数の見出しパターンの中から、この要素に付す見出しパターンの選択を入力する見出しパターン選択入力手段とを備えている。
更にまた、見出しパターン選択入力手段からの入力によって選択された見出しパターンを紙面に配置する見出しパターン配置手段と、見出しパターンが配置された紙面のイメージを表示する紙面イメージ表示手段と、見出しパターン配置手段によって配置された見出しパターンを変更する場合には、この見出しパターンが付された前記要素について、関連要素見出しパターン記憶手段によって記憶された複数の見出しパターンの中から検索される次の見出しパターンを、要素に付す見出しパターンの次候補とする見出しパターン次候補検索手段と、見出しパターン次候補検索手段によって検索された見出しパターンを、見出しパターン配置手段によって紙面に配置されている見出しパターンと差し替えてこの紙面に配置する第１の見出しパターン差替配置手段と、見出しパターン配置手段または第１の見出しパターン差替配置手段によって配置された複数の見出しパターンを、相互に関連付けてグループ番号によりグループとして記憶する見出しグループ記憶手段とを備えている。
その上、見出しグループ記憶手段に記憶された一のグループ番号にかかるグループに関し、紙面上に配置されている一の要素に関連付けて記憶された見出しパターンが、グループに含まれる場合には、当該要素に当該見出しパターンを次候補として付すことを、紙面上に配置されている全ての要素に対して行うことにより、複数の見出しパターンを新たな見出しパターンにグループ単位で一括して差し替えてこの紙面に配置する第２の見出しパターン差替配置手段とを備えている。
【００１４】
従って、請求項１の発明の新聞紙面制作システムにおいては、以上のような手段を講じることにより、予め作成した見出しパターンを、記事の内容に関連付けて記憶することができる。また、関連付けられた見出しパターンの中から、見出しパターンを選択すること、および選択した見出しパターンを紙面上に配置し、そのイメージを表示することができる。更に、一旦選択した見出しパターンを別の見出しパターンに差替えることができる。更にまた、配置された複数の見出しパターンを関連付けてグループとして記憶することができる。また、既に紙面上に配置した見出しパターンの全てを、記事の内容に基づいて一括して差し替えることができる。
【００２３】
【発明の実施の形態】
以下に、本発明の各実施の形態について図面を参照しながら説明する。
【００２４】
なお、以下の本発明の実施の形態の説明に用いる図中の符号は、図３３と同一部分については同一符号を付して示すことにする。
【００２５】
（第１の実施の形態）
本発明の実施の形態を図１から図２９を用いて説明する。
【００２６】
図１に、本実施の形態に係る新聞紙面制作システムの一例を示す機能構成図を示す。
【００２７】
本実施の形態に係る新聞紙面制作システムは、記事入力／校正端末１と、記事サーバ２と、画像入力／加工端末３と、画像サーバ４と、組版端末５と、紙面データファイル６と、組版編集サーバ７と、出力サーバ８と、プリンタ／プロッタ９とを備えている。
【００２８】
記事入力／校正端末１は、記事の入力および校正を行うための端末であり、オペレータ（オペレータ）から記事情報の入力を受け付け、記事サーバ２に出力する。また、記事サーバ２に蓄積されている記事情報を取得して、その記事情報に基づく校正入力をオペレータから受け付け、校正された記事情報を記事サーバ２に出力する。
【００２９】
記事サーバ２は、記事入力／校正端末１から入力された記事情報、または、図示しない通信回線を経由して通信社などから入力された記事情報を受信し、蓄積する。また、記事入力／校正端末１からの校正要求により、蓄積している記事情報の中から、要求のあった記事情報を記事入力／校正端末１に出力する。更に、オペレータの指示などに従って、蓄積している記事情報を組版編集サーバ７に出力する。
【００３０】
画像入力／加工端末３は、画像データの入力および画像データの加工を行うための端末であり、オペレータから画像データの入力を受け付け、入力された画像サーバ４に出力する。また、オペレータから入力された画像データの加工操作入力に基づいて画像データの加工を行い、加工した画像データを画像サーバ４に出力する。なお、画像データを加工する場合には、画像入力／加工端末３に入力されている画像データを直接用いて加工することも、画像サーバ４に蓄積されている画像データから所定の画像データを取得し、その画像データを用いて加工することも可能としている。
【００３１】
画像サーバ４は、画像入力／加工端末３から出力された画像データ、または加工された画像データを受け取り、蓄積する。また、画像入力／加工端末３からの要求により、蓄積している画像データの中から、要求のあった画像データを画像入力／加工端末３に出力する。更に、オペレータの指示などに従って、蓄積している画像データを組版編集サーバ７に出力する。
【００３２】
組版端末５は、例えばワークステーションやパーソナルコンピュータで構成されており、オペレータによる記事、画像、および見出しの配置（割付）操作の入力を受け付け、配置の終了した紙面の領域を配置領域データとして組版編集サーバ７に出力する端末であり、更に、図２に示すように、入力デバイス１０と、ディスプレイ１１と、グラフィカルユーザインタフェースモジュール１２と、レイアウトモジュール１３と、紙面データ記憶部１５と、本文記事見出し関連情報テーブル記憶部１６と、見出し入替部１７とを備えている。
【００３３】
入力デバイス１０は、グラフィカルユーザインタフェースモジュール１２を介して組版編集サーバ７に蓄積されている記事情報や画像データを取得し、それらを用いて記事、画像、および見出しの配置（割付）に関する入力をオペレータから受け付ける。そして、配置が終了した紙面の領域情報を配置領域データとしてグラフィカルユーザインタフェースモジュール１２に出力する。また、グラフィカルユーザインタフェースモジュール１２から、蓄積されている配置領域データを取得して、適宜配置領域データの更新を行い、更新後の配置領域データをグラフィカルユーザインタフェースモジュール１２に出力する。
【００３４】
ディスプレイ１１は、グラフィカルユーザインタフェースモジュール１２から、配置領域データを取得し、表示する。
【００３５】
グラフィカルユーザインタフェースモジュール１２は、入力デバイス１０より出力された配置領域データを蓄積するとともに、その配置領域データを組版編集サーバ７およびレイアウトモジュール１３に出力する。更に、ディスプレイ１１側からの要求により、蓄積している配置領域データの中から所定の配置領域データをディスプレイ１１に出力させる。
【００３６】
レイアウトモジュール１３は、グラフィカルユーザインタフェースモジュール１２から出力される配置領域データに基づいて、紙面上に画像や記事や見出し等を配置するとともに、紙面上に画像や記事や見出し等が配置されたデータであるレイアウトデータの解析を行い、その解析結果を、紙面データとして紙面データ記憶部１５に、本文記事見出し関連情報テーブルとして本文記事見出し関連情報テーブル記憶部１６にそれぞれ出力する。配置領域データが変更された場合には、それに基づいて紙面データを更新して紙面データ記憶部１５に出力する。
【００３７】
図３は、このような紙面データの一例を示すデータ構成図である。
【００３８】
図３に示すように、紙面データは、面＃１（第１番目の面）の紙面データ１０１、面＃２の紙面データ１０２、面＃３の紙面データ１０３…のように各面毎に紙面データを有している。
【００３９】
面＃１の紙面データ１０１は、更に、面＃１の面固有データ１０１．ＣＯＭと、各構成要素毎の要素情報１０１．＆（＆は要素情報の番号）とを有している。
【００４０】
面固有データ１０１．１．ＣＯＭは、更に、図４に例示するように、掲載年月日１０１．ＣＯＭ．ＫＤ、面名１０１．ＣＯＭ．ＭＮ、版名１０１．ＣＯＭ．ＨＮ、段数値１０１．ＣＯＭ．ＤＮ、字詰値１０１．ＣＯＭ．ＪＺ、行数値１０１．ＣＯＭ．ＧＹ、文字サイズ１０１．ＣＯＭ．ＭＪ、段間値１０１．ＣＯＭ．ＤＫ、行間値１０１．ＣＯＭ．ＧＫ、・・・を有している。
【００４１】
要素情報１０１．＆は、図５から図２６に例示するように、記事の場合（＆＝第１、第２、第３、第１０、第１２、第１５、第１７、第２０、第２２）には、フラグ情報１０１．＆．ＦＬ、要素種別情報１０１．＆．ＳＢ、要素ＩＤ情報１０１．＆．ＩＤ、配置状態情報１０１．＆．ＨＳ、配置位置情報１０１．＆．ＸＹ、記事のテキスト格納ディレクトリ・ファイル名１０１．＆．ＡＤ１、記事の組版済テキスト格納ディレクトリ・ファイル名１０１．＆．ＡＤ２、テキスト１０１．＆．ＴＸ、組版済みテキスト１０１．＆．ＬＸ、・・の各データを有している。
【００４２】
小組の場合（＆＝第４、第５、第６、第７、第８、第９）には、フラグ情報１０１．＆．ＦＬ、要素種別情報１０１．＆．ＳＢ、要素ＩＤ情報１０１．＆．ＩＤ、配置状態情報１０１．＆．ＨＳ、小組の寸法情報１０１．＆．ＳＺ、配置位置情報１０１．＆．ＸＹ、小組内の要素登録数１０１．＆．ＬＴ、小組内要素第1の要素ＩＤ１０１．＆．ＫＳ１、小組内要素第２の要素ＩＤ１０１．＆．ＫＳ２、・・の各データを有している。
【００４３】
画像の場合（＆＝第１１、第１３、第１４、第１６、第１８、第１９、第２１）には、フラグ情報１０１．＆．ＦＬ、要素種別情報１０１．＆．ＳＢ、要素ＩＤ情報１０１．＆．ＩＤ、配置状態情報１０１．＆．ＨＳ、画像の寸法情報１０１．＆．ＳＺ、配置位置情報１０１．＆．ＸＹ、色区分１０１．＆．ＣＬ、画像の表示画データの格納ディレクトリ／ファイル名１０１．＆．ＡＤ１、表示画データ１０１．＆．ＩＭ、・・の各データを有している。
【００４４】
図２７は、本文記事見出し関連情報テーブルの一例を示すデータ構成図である。
【００４５】
本文記事見出し関連情報テーブルは、各面の要素情報毎に見出しの要素ＩＤを格納したものである。図２７では、面＃１の第１要素から第３要素までを例として記載したものであり、各要素＆は、本文記事の要素ＩＤ２０１．＆．ＩＤ、本文記事と関連する第１見出しの要素ＩＤ２０１．＆．ＭＤ１、本文記事と関連する第２見出しの要素ＩＤ２０１．＆．ＭＤ２、本文記事と関連する第３見出しの要素ＩＤ２０１．＆．ＭＤ３、・・を有している。
【００４６】
紙面データ記憶部１５は、レイアウトモジュール１３から出力された紙面データを記憶するとともに、記憶している紙面データを要求に応じて見出し入替部１７に渡す。
【００４７】
本文記事見出し関連情報テーブル記憶部１６は、レイアウトモジュール１３から出力された本文記事見出し関連情報テーブルを記憶する。また、図示しない別の手段を用いて、予め本文記事見出し関連情報テーブルを作成しておき、この本文記事見出し関連情報テーブルを記憶することもできるようにしている。
【００４８】
見出し入替部１７は、図２８のフローチャートにしたがって動作し、紙面データ記憶部１５に記憶されている紙面データと、本文記事見出し関連情報テーブル記憶部１６に記憶されている本文記事見出し関連情報テーブルとを用いて、記事に新規に見出しパターンを選択する。また、図２９のフローチャートにしたがって動作し、既に配置済みの見出しパターンを別の見出しパターンに差し替える。
【００４９】
次に、以上のように構成した本発明の実施の形態に係る新聞紙面制作システムの動作について説明する。
【００５０】
記事に新規に見出しパターンを配置する場合には、図２８のフローチャート示すように、先ず、入力デバイス１０を介して、オペレータによって、未配置の見出しパターンを所定の位置に配置するために見出しパターンに関連する本文記事を指定するか、または代表例としての見出しパターンを直接指定して入力がなされる。そして、配置対象として直接見出しパターンを指定した場合には、関連する本文記事の要素ＩＤが、見出し入替部１７によって参照される。
【００５１】
配置対象として直接見出しパターンを指定した場合（Ｓ１：Ｙｅｓ）には、見出し入替部１７によって、本文記事見出し関連情報テーブル記憶部１６に記憶されている本文記事見出し関連情報テーブルの要素が順に参照され、見出しの要素ＩＤと一致する要素番号を見つけた場合には、ステップＳ３に移行する（Ｓ２）。例えば、図２７に示す「見出しＡ２」であるとすれば、第１要素の本文記事と関連する第２見出しの要素ＩＤ２０１．１．ＭＤ２である。
【００５２】
更に、見出し入替部１７によって、要素番号に対応する本文記事の要素ＩＤが取得される。「見出しＡ２」に対応する本文記事の要素ＩＤは第１要素の本文記事の要素ＩＤ２０１．１．ＩＤである。
【００５３】
一方、配置対象として直接見出しパターンを指定しない場合（Ｓ１：Ｎｏ）には、ステップＳ２をスキップしてステップＳ３に移行する。
【００５４】
ステップＳ３では、見出し入替部１７によって、本文記事に関連付けられた複数の見出しパターンの要素ＩＤが取得される（Ｓ３）。例えば、図２７に示す第１要素の記事（本文記事ａ）の場合、第１見出しの要素ＩＤ２０１．１．ＭＤ１、第２見出しの要素ＩＤ２０１．１．ＭＤ２、第３見出しの要素ＩＤ２０１．１．ＭＤ３、・・・が取得される。
【００５５】
次に、ディスプレイ１１上に、見出しパターンのレイアウトイメージが複数件並べて表示される（Ｓ４）。これは、先ず、入力デバイス１０から、該当する見出しパターン（例えば、図２７の第１要素における「見出しＡ１」、「見出しＡ２」、「見出しＡ３」）の表示用のウインドウ内の表示位置を指定して、グラフィカルユーザインタフェースモジュール１２に画面表示要求を行う。そして、グラフィカルユーザインタフェースモジュール１２が、この表示位置の指示情報に基づいて、紙面データ記憶部１５から該当する見出しパターンの要素情報を読み出して表示用データを作成し、ディスプレイ１１に表示することによってなされる。
【００５６】
そして、ディスプレイ１１に表示された見出しパターンのレイアウトイメージから、オペレータによって、配置する見出しパターンが選択され、入力デバイス１０を介して選択入力がなされる（Ｓ５）。
【００５７】
このように入力デバイス１０から見出しパターンの選択入力がなされると、グラフィカルユーザインタフェースモジュール１２によって、選択された見出しパターンの要素ＩＤ、配置位置情報がレイアウトモジュール１３に出力されることにより、見出しパターンが配置される（Ｓ６）。
【００５８】
そして、レイアウトモジュール１３によって、この見出しパターンの配置に基づいて紙面データが更新され、更にグラフィカルユーザインタフェースモジュール１２によって、その結果がディスプレイ１１に表示させる。
【００５９】
このようにして記事に見出しパターンが配置される。
【００６０】
次に、既に配置済みの見出しパターンを差し替える場合における動作を図２９のフローチャートを用いて説明する。
【００６１】
既に配置済みの見出しパターンを差し替える場合には、オペレータが、配置された見出しパターン自身を直接指示することによって行われる。
【００６２】
尚、この差し替え処理は、内部処理上、現在配置されている見出しパターンの配置を一旦取り消し、この取り消された見出しパターンと同じ位置に別の見出しパターンを配置し直すことによって実現される。
【００６３】
既に配置済みの見出しパターンを別の見出しパターンに差し替えるには、先ず、見出し入替部１７によって、差し替えられる見出しパターンの要素ＩＤに対応した本文記事の要素ＩＤが、本文記事見出し関連情報テーブルから検索される（Ｓ１１）。これは、本文記事見出し関連情報テーブルを要素順に調べ、見出しパターンの要素ＩＤが一致する要素番号を検索することによって行われる。例えば、図２７に示す「見出しＡ２」の場合、第１要素の本文記事と関連する第２見出しの要素ＩＤ２０１．１．ＭＤ２が検索され、更に、それに対応する本文記事の要素ＩＤ２０１．１．ＩＤが検索される。
【００６４】
次に、見出し入替部１７によって、本文記事見出し関連情報テーブルに登録されている見出しパターンの次の候補の要素ＩＤが検索される（Ｓ１２）。例えば、図２７に示す「見出しＡ２」の次の見出しの候補は、第１要素の本文記事と関連する第２見出しの要素ＩＤ２０１．１．ＭＤ２の次のレコードであり、本文記事と関連する第３見出しの要素ＩＤ２０１．１．ＭＤ３（見出しＡ３）である。このとき、もし、次の見出し要素ＩＤが未登録であればスキップする。仮に、「見出しＡ２」が最後の見出しであれば、最初の見出しである第１見出しの要素ＩＤ（見出しＡ１）を次の見出し候補とされる。
【００６５】
そして、見出し入替部１７によって、現在配置されている見出しパターンの配置位置情報が記憶される（Ｓ１３）。これは、現在配置されている見出しパターンに対する紙面データの要素情報内の配置位置情報１０１．＆．ＸＹ（＆は要素番号）が参照され、記憶されることによってなされる。
【００６６】
更に、オペレータによって、現在配置されている見出しパターンの要素ＩＤが指定され、レイアウトモジュール１３に対して、該当見出しパターンの配置取り消し要求がなされる（Ｓ１４）。そして、レイアウトモジュール１３によって、この見出しパターンの配置が取り消され、紙面データが更新される。紙面データが更新されると、グラフィカルユーザインタフェースモジュール１２によって、その結果がディスプレイ１１上に表示される。
【００６７】
その後、次候補の（差し替える）見出しパターンの要素ＩＤと、記憶した配置位置情報１０１．＆．ＸＹ（＆は要素番号）とがレイアウトモジュール１３に指定されて、新たな見出しパターンの配置設定が行われる（Ｓ１５）。このように、次候補の（差し替える）見出しパターンの要素ＩＤと、記憶した配置位置情報１０１．＆．ＸＹ（＆は要素番号）とがレイアウトモジュール１３に指定されることによって、差し替え前の見出しパターンが配置されていた配置位置に次候補の見出しパターンが配置されて紙面データが更新される。紙面データが更新されると、グラフィカルユーザインタフェースモジュール１２によって、その結果がディスプレイ１１に表示される。
【００６８】
このようにして記事に配置済みの見出しパターンが新たな見出しパターンに差し替えられる。
【００６９】
なお、この動作は、図２８で示した記事に新規に見出しパターンを配置する動作と組み合わせて行うことも可能である。
【００７０】
なお、請求項でいう見出しパターン格納手段、関連要素見出しパターン記憶手段、複数見出しパターン記憶手段は、本実施の形態において本文記事見出し関連情報テーブル記憶部１６当する。また、請求項でいう第１の見出しパターン選択手段、第２の見出しパターン選択手段は、本実施の形態において見出し入替部１７に相当する。請求項でいう見出しパターン配置手段、第１の見出しパターン差替配置手段、第２の見出しパターン差替配置手段は、本実施の形態においてレイアウトモジュール１３に相当する。更に、請求項でいう紙面イメージ表示手段は、本実施の形態においてディスプレイ１１に相当する。
【００７１】
上述したように、本発明の実施の形態に係る新聞紙面制作システムにおいては、上記のような作用により、本文記事に関連する複数の見出しパターンの候補をディスプレイ１１上に表示することができる。オペレータは、紙面全体のバランスや見栄え等を考慮して、複数の見出しパターンの中から見出しパターンを選択することができる。
【００７２】
すなわち、適切な見出しパターンを容易に選択することが可能となる。また、一度選択した見出しパターンを別の候補の見出しパターンに差し替えることもできるので、試行錯誤的な見出しパターン選択作業を連続的にかつ効率的に行うことも可能となる。
【００７３】
（第２の実施の形態）
本発明の第２の実施の形態を図３０から図３２を用いて説明する。
【００７４】
第２の実施の形態に係る新聞紙面制作システムは、既に配置した複数の見出しパターンを一括して差し替えたり、既に配置した複数の見出しパターンを一括して登録し、この複数の見出しパターンからなるグループを利用して、紙面上の見出しパターンを一括して差し替えたりする機能を備えたものである。
【００７５】
これらの機能は、第１の実施の形態と比べて、本文記事見出し関連情報テーブル記憶部１６に記憶される本文記事見出し関連情報テーブルのデータ構成と、見出し入替部１７の動作とを変更することによって実現され、その他の構成は第１の実施の形態の構成と同一である。
【００７６】
したがって、ここでは、異なる部分のみについて説明し重複説明を避ける。
【００７７】
レイアウトモジュール１３は、グラフィカルユーザインタフェースモジュール１２から出力される配置領域データに基づいて、レイアウトデータの解析を行い、その解析結果を、図３にその一例を示すような紙面データとして紙面データ記憶部１５に、また図３０にその一例を示すような本文記事見出し関連情報テーブルとして本文記事見出し関連情報テーブル記憶部１６にそれぞれ出力する。配置領域データが変更された場合には、それに基づいて紙面データを更新して紙面データ記憶部１５に出力する。
【００７８】
図３０にその一例を示す本文記事見出し関連情報テーブルは、面共通データである最新の見出しグループ番号ＧＮと、各面の要素情報とを格納したものである。更に各面の要素情報は、見出しの要素ＩＤと、見出しＩＤのグループ番号のリストとを格納している。見出しＩＤのグループとは、複数の記事に配置された見出しパターンの組み合わせをグループとして定義したものである。すなわち、見出しパターン相互間の関連性を見出しグループ番号で関連付けている。
【００７９】
図３０では、面＃１の第１要素から第３要素までを例として記載したものであり、各要素＆は、本文記事の要素ＩＤ２０１．＆．ＩＤ、本文記事と関連する第１見出し要素ＩＤ２０１．＆．ＭＤ１、本文記事と関連する第１見出しＩＤのグループ番号のリスト２０１．＆．ＧＲ１、本文記事と関連する第２見出し要素ＩＤ２０１．＆．ＭＤ２、本文記事と関連する第２見出しＩＤのグループ番号のリスト２０１．＆．ＧＲ２、本文記事と関連する第３見出し要素ＩＤ２０１．＆．ＭＤ３、本文記事と関連する第３見出しＩＤのグループ番号のリスト２０１．＆．ＧＲ３、・・を有している。
【００８０】
このように、本実施の形態に係る本文記事見出し関連情報テーブルでは、１つの見出しパターンが複数の見出しパターンのグループで指定できるように、１件の見出しパターンに対して複数の見出しパターンのグループ番号を付与できるリスト構造を採用している。図３０に示す例では、見出しＩＤの要素番号のリスト２０１．＆．ＧＲｎ＝１（グループ１）に属する見出し要素ＩＤが「見出しＡ１」、「見出しＢ１」であり、見出しＩＤの要素番号のリスト２０１．＆．ＧＲｎ＝２（グループ２）に属する見出し要素ＩＤが「見出しＡ２」、「見出しＢ２」であり、見出しＩＤの要素番号のリスト２０１．＆．ＧＲｎ＝３（グループ３）に属する見出し要素ＩＤが「見出しＡ３」、「見出しＢ１」である。また、図３０の第３要素に示すように、見出しＩＤの要素番号のリスト２０１．＆．ＧＲｎを指定しないようにすることで、一括差替の対象としないようにすることも可能である。
【００８１】
見出し入替部１７は、図３１に示すフローチャートにしたがって動作し、紙面データと、図３０に示すような本文記事見出し関連情報テーブルとを用いて、配置済みの見出しパターンを一括して差し替える。
【００８２】
また、図３２に示すフローチャートにしたがって動作し、既に配置済みの見出しパターンを対象として、見出しグループ番号の一括指定を行う。配置済みの見出しパターンの見出しグループ番号の一括指定機能は、紙面上に配置された全ての見出しパターンに対して指定された見出しグループ番号による関連付けを行う機能である。この機能は最初から見出しグループ番号を決めておくのではなく、紙面として一応出来上がった状態に対して一括して見出しグループ番号を指示することができるので、見出しパターンの選択における試行錯誤的な作業において効果的な機能である。
【００８３】
次に、以上のように構成した本実施の形態に係る新聞紙面制作システムの動作について説明する。
【００８４】
まず、配置済みの見出しパターンを一括して差し替える場合について、図３１のフローチャートを用いて説明する。
【００８５】
配置済みの見出しパターンを一括して差し替える場合には、オペレータが入力デバイス１０を介して、見出しＩＤのグループ番号を指定して行うやり方と、見出しＩＤのグループ番号の指定を省略して行うやり方とがある。
【００８６】
まず、オペレータによって、見出しＩＤのグループ番号が指定された場合（Ｓ２１：Ｙｅｓ）には、ステップＳ２２に進み、オペレータによって、見出しＩＤのグループ番号の指定を省略された場合（Ｓ２１：Ｎｏ）には、ステップＳ２３に進む。
【００８７】
ステップＳ２２では、見出し入替部１７によって、最新の見出しグループ番号２０１．ＧＮとして、オペレータによって指定された見出しグループ番号が設定され、ステップＳ２４に進む（Ｓ２２）。
【００８８】
ステップＳ２３では、以下の手順に従って、最新の見出しグループ番号が更新され、ステップＳ２４に進む（Ｓ２３）。
【００８９】
まず、見出し入替部１７によって、本文記事見出し関連情報テーブルの、本文記事と関連する見出しの要素ＩＤのグループ番号のリスト２０１．１．ＧＲ１、２０１．１．ＧＲ２、・・・・が参照される。そして、登録済みのグループ番号が存在し、最新の見出しグループ番号２０１．ＧＮの値よりも大きいグループ番号値が存在する場合には、その中の最小のグループ番号が最新の見出しグループ番号２０１．ＧＮとして設定される。
【００９０】
一方、登録済みのグループ番号が存在し、最新の見出しグループ番号２０１．ＧＮの値よりも大きいグループ番号値が存在しない場合には、登録されたグループ番号の最小値が最新の見出しグループ番号２０１．ＧＮとして設定される。
【００９１】
また、登録済みのグループ番号が存在しない場合は、ディスプレイ１１にその旨のメッセージが表示されてオペレータ側にその旨が示され、処理を終了する。
【００９２】
ステップＳ２４では、見出し入替部１７によって、先ず紙面データの第１要素情報が選択されステップＳ２５に進む（Ｓ２４）。
【００９３】
ステップＳ２５では、見出し入替部１７によって、紙面データの要素の無効／有効フラグ１０１．＆．ＦＬが参照され、「有効」であればステップＳ２６に進み、「無効」であればステップＳ３３に進む（Ｓ２５）。
【００９４】
ステップＳ２６では、見出し入替部１７によって、紙面データの要素種別１０１．＆．ＳＢが参照され、「小組：見出し」である場合にはステップＳ２７に進み、「小組：見出し」でない場合にはステップＳ３３に進む（Ｓ２６）。
【００９５】
ステップＳ２７では、見出し入替部１７によって、要素の配置状態１０１．＆．ＨＳが参照され、「配置済」であればステップＳ２８に進み、「未配置」であればステップＳ３３に進む。
【００９６】
ステップＳ２８では、見出し入替部１７によって、見出しの要素ＩＤに対応した本文記事の要素ＩＤが検索される（Ｓ２８）。これは、図２９のステップＳ１１と同じ処理である。
【００９７】
次に、見出し入替部１７によって、「本文記事と関連する見出しＩＤのグループ番号のリスト」に対応した「本文記事と関連する見出しの要素ＩＤ」が検索される。「本文記事と関連する見出しＩＤのグループ番号のリスト」に対応した「本文記事と関連する見出しの要素ＩＤ」が存在する場合（Ｓ２９：Ｙｅｓ）にはステップＳ３０に進み、「本文記事と関連する見出しＩＤのグループ番号のリスト」に対応した「本文記事と関連する見出しの要素ＩＤ」が存在しない場合にはステップＳ３３に進む。
【００９８】
ステップＳ３０では、見出し入替部１７に、現在配置されている見出しパターンの配置位置情報が記憶される（Ｓ３０）。これは、図２９のフローチャートに示すステップＳ１３と同じ処理である。
【００９９】
次に、入力デバイス１０を介してオペレータによって、現在配置されている見出しパターンの見出し要素ＩＤ２０１．＆．ＭＤｎ（＆＝要素番号、ｎ＝見出し番号）が指定され、レイアウトモジュール１３に現在は位置されている見出しパターンの配置取消し要求がなされる（Ｓ３１）。これは、図２９のフローチャートに示すステップＳ１４と同じ処理である。
【０１００】
更に、入力デバイス１０を介してオペレータによって、次候補の（差し替える）見出しパターンの要素ＩＤと、記憶した配置位置情報１０１．＆．ＸＹ（＆は要素番号）とがレイアウトモジュール１３に指定され、新たな見出しパターンへの一括差し替えが行われる（Ｓ３２）。これは、図２９のフローチャートに示すステップＳ１５と同じ処理である。
【０１０１】
上述したような処理が、紙面データの全ての要素情報に対して行われた場合（Ｓ３３：Ｙｅｓ）には全ての処理を終了する。一方、まだ処理を行っていない要素情報がある場合（Ｓ３３：Ｎｏ）には、次の要素情報を対象にして（Ｓ３４）ステップＳ２５に戻る。
【０１０２】
このようにして、既に記事に配置された見出しパターンは、新たな見出しパターンに一括して差し替えられる。
【０１０３】
次に、図３２のフローチャートを用いて、既に配置済みの見出しパターンに対して、見出しグループ番号を一括指定する場合における動作について説明する。
【０１０４】
まず、既に配置済みの見出しパターンに対して、見出しグループ番号を一括指定する場合には、見出し入替部１７によって、紙面データの第１要素情報が対象とされる（Ｓ４１）。
【０１０５】
次に、見出し入替部１７によって、第１要素情報の無効／有効フラグ１０１．１．ＦＬが参照される。そして、無効／有効フラグ１０１．１．ＦＬが「有効」であれば（Ｓ４２：Ｙｅｓ）ステップＳ４３に進み、無効／有効フラグ１０１．１．ＦＬが「無効」であれば（Ｓ４２：Ｎｏ）ステップＳ４７に進む。
【０１０６】
ステップＳ４３では、見出し入替部１７によって、要素種別１０１．１．ＳＢが参照される。そして、要素種別１０１．１．ＳＢが「小組：見出し」であれば（Ｓ４３：Ｙｅｓ）ステップＳ４４に進み、要素種別１０１．１．ＳＢが「小組：見出し」でなければ（Ｓ４３：Ｎｏ）ステップＳ４７に進む。
【０１０７】
ステップＳ４４では、見出し入替部１７によって、配置状態１０１．１．ＨＳが参照される。そして、配置状態１０１．１．ＨＳが「配置済」であれば（Ｓ４４：Ｙｅｓ）ステップＳ４５に進み、配置状態１０１．１．ＨＳが「未配置」であれば（Ｓ４４：Ｎｏ）ステップＳ４７に進む。
【０１０８】
ステップＳ４５では、見出し入替部１７によって、該当する見出しの要素ＩＤに対応した「本文記事と関連する見出し要素ＩＤ」が、本文記事見出し関連情報テーブルから検索される。これは、図２９のフローチャートにおけるＳ１１と同じ処理である。
【０１０９】
次に、見出し入替部１７によって、該当する見出しの要素ＩＤに対して指定された「本文記事と関連する見出しＩＤのグループ番号のリスト」が追記される。例えば、図３０に示す「見出しＡ１」の場合、「第１要素の本文記事と関連する第１見出しＩＤのグループ番号のリスト」２０１．１．ＧＲ１指定されたグループ番号が未登録の場合には追記され、登録済みの場合には追記されない（Ｓ４６）。
【０１１０】
ステップＳ４７では、見出し入替部１７によって、紙面データの全ての要素情報に対して上述した処理がなされたか否かが判定される。そして、全ての要素情報に対して処理がなされた場合（Ｓ４７：Ｙｅｓ）にはステップＳ４９に進み、未だ処理されていない要素情報がある場合（Ｓ４７：Ｎｏ）にはステップＳ４８に進む。
【０１１１】
ステップＳ４８では、見出し入替部１７によって、次の要素情報が選択され、ステップＳ４２に戻る（Ｓ４８）。
【０１１２】
ステップＳ４９では、最新の見出しグループ番号２０１．ＧＮが更新され、見出しグループ番号の一括指定が行われ（Ｓ４９）、処理を終了する。
【０１１３】
記事に配置済みの見出しパターンは、このようにして見出しグループ番号が付与されると、関連性のある見出しの集合として、一括して取り扱われるようになる。
【０１１４】
上述したように、本実施の形態に係る新聞紙面制作システムにおいては、上記のような作用により、複数の見出しパターンを、見出しパターン相互間で関連性を持たせたグループとして取り扱うことによって、グループに含まれる見出しパターンを一括して差し替えることができる。
【０１１５】
これによって、例えば、見出しパターンのトーンを変えた紙面のバリエーションを複数用意しておけば、紙面上の全ての見出しパターンを、所望のバリエーションの見出しパターンに一括して差し替えることができるようになり、見出しパターンの選択時における試行錯誤的な作業を効率的に行うことが可能となるとともに、運用面での柔軟性を高めることが可能となる。
【０１１６】
更に、過去に作成された紙面に基づいて、見出しグループ番号を一括して指定することができるので、紙面のバリエーションに対応した見出しグループを逐次蓄積することが可能となる。
【０１１７】
このような、配置済みの見出しパターンに基づいた見出しグループ番号の一括指定機能は、紙面上に配置された全ての見出しパターンに対して指定された見出しグループ番号による関連付けを行うことが出来るので、最初から見出しグループ番号を決めなくても、紙面として一応出来上がった状態に対して指定することができる。
【０１１８】
その結果、見出しの配置作業時においては、グループ番号の設定にとらわれることなく見出しの配置作業をすることができるようになり、試行錯誤的な紙面作成が容易になり、オペレータの作業自由度を高めることが可能となる。
【０１１９】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【０１２０】
【発明の効果】
以上説明したように、本発明によれば、組版端末上で、ある記事に対して予め用意した複数の見出しパターンの中から見出しパターンを選択し、更に、選択された見出しパターンが配置された紙面イメージを表示することができる。
【０１２１】
また、同一紙面内に配置された見出しパターンについて関連情報を付与することにより、同一紙面内に配置される見出しについて、統一性の取れた見出しパターンを選択することができる。
【０１２２】
更に、一旦配置した見出しパターンを、他の見出しパターンへと差し替えることができる。特に、互いに関連性のある複数の見出しパターンについては、一括して差し替えることもできる。
【０１２３】
以上により、見出しパターンの配置作業を効率的に行うことが可能な新聞紙面制作システムを実現することができる。
【図面の簡単な説明】
【図１】本発明の第１の実施の形態に係る新聞紙面制作システムの一例を示す機能構成図。
【図２】組版端末の一例を示す機能構成図。
【図３】紙面データの一例を示すデータ構成図。
【図４】紙面データの固有データの一例を示すデータ構成図。
【図５】紙面データの第１要素情報の一例を示すデータ構成図。
【図６】紙面データの第２要素情報の一例を示すデータ構成図。
【図７】紙面データの第３要素情報の一例を示すデータ構成図。
【図８】紙面データの第４要素情報の一例を示すデータ構成図。
【図９】紙面データの第５要素情報の一例を示すデータ構成図。
【図１０】紙面データの第６要素情報の一例を示すデータ構成図。
【図１１】紙面データの第７要素情報の一例を示すデータ構成図。
【図１２】紙面データの第８要素情報の一例を示すデータ構成図。
【図１３】紙面データの第９要素情報の一例を示すデータ構成図。
【図１４】紙面データの第１０要素情報の一例を示すデータ構成図。
【図１５】紙面データの第１１要素情報の一例を示すデータ構成図。
【図１６】紙面データの第１２要素情報の一例を示すデータ構成図。
【図１７】紙面データの第１３要素情報の一例を示すデータ構成図。
【図１８】紙面データの第１４要素情報の一例を示すデータ構成図。
【図１９】紙面データの第１５要素情報の一例を示すデータ構成図。
【図２０】紙面データの第１６要素情報の一例を示すデータ構成図。
【図２１】紙面データの第１７要素情報の一例を示すデータ構成図。
【図２２】紙面データの第１８要素情報の一例を示すデータ構成図。
【図２３】紙面データの第１９要素情報の一例を示すデータ構成図。
【図２４】紙面データの第２０要素情報の一例を示すデータ構成図。
【図２５】紙面データの第２１要素情報の一例を示すデータ構成図。
【図２６】紙面データの第２２要素情報の一例を示すデータ構成図。
【図２７】本発明の第１の実施の形態における本文記事見出し関連情報テーブルの一例を示すデータ構成図。
【図２８】見出しの配置時における動作を示すフローチャート。
【図２９】見出しの差し替え時における動作を示すフローチャート。
【図３０】本発明の第２の実施の形態における本文記事見出し関連情報テーブルの一例を示すデータ構成図。
【図３１】複数見出しの一括差し替え時における動作を示すフローチャート。
【図３２】見出しグループの指定時における動作を示すフローチャート。
【図３３】一般的な新聞の構成を示す模式図。
【符号の説明】
１…記事入力／校正端末、
２…記事サーバ、
３…画像入力／加工端末、
４…画像サーバ、
５…組版端末、
６…紙面データファイル、
７…組版編集サーバ、
８…出力サーバ、
９…プリンタ／プロッタ、
１０…入力デバイス、
１１…ディスプレイ、
１２…グラフィカルユーザインタフェースモジュール、
１３…レイアウトモジュール、
１５…紙面データ記憶部、
１６…本文記事見出し関連情報テーブル記憶部、
３１…新聞、
３２…紙面、
３３…大組、
３４…小組、
３５…画像、
３６…記事、
３７…広告。
【図１】
0003895093.tif 000002
【図２】
0003895093.tif 000003
【図３】
0003895093.tif 000004
【図４】
0003895093.tif 000005
【図５】
0003895093.tif 000006
【図６】
0003895093.tif 000007
【図７】
0003895093.tif 000008
【図８】
0003895093.tif 000009
【図９】
0003895093.tif 000010
【図１０】
0003895093.tif 000011
【図１１】
0003895093.tif 000012
【図１２】
0003895093.tif 000013
【図１３】
0003895093.tif 000014
【図１４】
0003895093.tif 000015
【図１５】
0003895093.tif 000016
【図１６】
0003895093.tif 000017
【図１７】
0003895093.tif 000018
【図１８】
0003895093.tif 000019
【図１９】
0003895093.tif 000020
【図２０】
0003895093.tif 000021
【図２１】
0003895093.tif 000022
【図２２】
0003895093.tif 000023
【図２３】
0003895093.tif 000024
【図２４】
0003895093.tif 000025
【図２５】
0003895093.tif 000026
【図２６】
0003895093.tif 000027
【図２７】
0003895093.tif 000028
【図２８】
0003895093.tif 000029
【図２９】
0003895093.tif 000030
【図３０】
0003895093.tif 000031
【図３１】
0003895093.tif 000032
【図３２】
0003895093.tif 000033
【図３３】
0003895093.tif 000034